(57)【要約】【課題】本発明では、小型で且つ高利得、広帯域な円偏波パッチアンテナを提供することを目的とする。【解決手段】本発明にかかる円偏波パッチアンテナは、摂動素子が付加されたパッチ導体１と、誘電体層を介して前記パッチ導体と平行に配置されたグランド導体２と、グランド導体２のパッチ導体１と対向する位置に、パッチ導体１の外郭と略同形状の外郭で且つパッチ導体１と略直交するように形成されたリング状スロット４と、パッチ導体１及びリング状スロット４をともに励振させるＬ型プローブ５とから構成される。これにより、パッチ導体１とリング状スロット４とが互いに作用し合い、一点給電方式の円偏波パッチアンテナであっても、小型で且つ高利得、広帯域な特性を得ることができる。【選択図】  図１
2008054080.tif 000002
【特許請求の範囲】
【請求項１】
摂動素子が付加されたパッチ導体と、
誘電体層を介して前記パッチ導体と平行に配置されたグランド導体と、
前記グランド導体に形成されたスロットと、
前記パッチ導体及び前記スロットをともに励振させる給電回路とを備え、
前記パッチ導体と前記スロットとがそれぞれ励振することによって生成される電磁界ベクトルが同方向となるように、前記パッチ導体及び前記スロットを配置したことを特徴とする円偏波パッチアンテナ。
【請求項２】
請求項１に記載の円偏波パッチアンテナにおいて、
前記スロットは、摂動素子が付加された円偏波発生可能なスロットであることを特徴とする円偏波パッチアンテナ。
【請求項３】
請求項１に記載の円偏波パッチアンテナにおいて、
前記スロットは、前記パッチ導体の外郭と略同形状の外郭を有することを特徴とする円偏波パッチアンテナ。
【請求項４】
摂動素子が付加されたパッチ導体と、
誘電体層を介して前記パッチ導体と平行に配置されたグランド導体と、
前記グランド導体の前記パッチ導体と対向する位置に、前記パッチ導体の外郭と略同形状の外郭で且つ前記パッチ導体と略直交するように形成されたスロットと、
前記パッチ導体及び前記スロットをともに励振させる給電回路とを備えることを特徴とする円偏波パッチアンテナ。
【請求項５】
請求項１から４の何れかに記載の円偏波パッチアンテナにおいて、
前記スロットは、リング状スロットであることを特徴とする円偏波パッチアンテナ。
【請求項６】
請求項１から５の何れかに記載の円偏波パッチアンテナにおいて、
背面輻射を抑圧する反射板導体を前記グランド導体の背面側に備えることを特徴とする円偏波パッチアンテナ。
【発明の詳細な説明】
【技術分野】
【０００１】
本発明は、広帯域で良好な円偏波特性が得られる円偏波パッチアンテナに関する。
【背景技術】
【０００２】
パッチアンテナにおいて円偏波を発生する方法は、直交モードそれぞれに９０°の位相差を与えて励振する２点給電方式と、パッチに摂動素子を装荷して円偏波を得る１点給電方式がある。
【０００３】
２点給電方式は、広い周波数帯域にわたり良好な円偏波を放射することができるが、９０°の位相差を与えるための等分配回路＋９０°遅延ラインなどの給電回路が必要である。そのため、相応のスペースが必要になるとともに、コスト高になってしまう。
【０００４】
一方で、１点給電方式は給電構造が２点給電方式に比べ簡単で、アンテナの小型化・低コスト化を図ることができる。しかしながら、１点給電方式の円偏波パッチアンテナでは円偏波帯域が非常に狭く、製作偏差により共振周波数がずれると、所望帯域で仕様を満足することができないという問題があった。
【０００５】
また、このような１点給電方式の円偏波パッチアンテナにおいては、比誘電率を下げたり、導体間隔を広げる手法をとることにより、無負荷Ｑを下げて帯域を広げることも可能であるが、比誘電率を下げると、パッチ寸法が大きくなってしまうという問題がある。
【０００６】
また、パッチにスリットを装荷することにより、パッチ寸法を小型化することも可能であるが、この場合は逆に帯域が狭くなるとともに利得が低下するという問題がある。
【０００７】
このように、アンテナの小型化と高利得・広帯域はトレードオフの関係にあり、小型化と高利得・広帯域を同時に実現することできる円偏波パッチアンテナの出現が待ち望まれている。
【０００８】
このような従来の課題を解決するための方策として、例えば特許文献１に開示された技術が提案されている。この技術は、特許文献１の図１に開示されたように、第１の誘電体基板１１の下側全面に導体地板１２（グランド導体）を形成し、上面に縮退分離素子１５ａ、１５ｂ（摂動素子）を負荷した導体励振素子１３（パッチ導体）を形成した円偏波パッチアンテナに対して、第２の誘電基板１６に形成した導体無給電素子１７を装荷し、導体励振素子１３にのみ給電を行って導体励振素子１３を励振させることにより、導体励振素子１３と導体無給電素子１７のインピーダンスを複共振状態にし、アンテナの広帯域化を図っている。
【特許文献１】特開平０７−３０７６１３号公報
【発明の開示】
【発明が解決しようとする課題】
【０００９】
しかしながら、前記特許文献１に開示の技術は、導体励振素子１３と導体無給電素子１７のインピーダンスを複共振状態にするために、導体励振素子１３と導体無給電素子１７間の間隔を最適化する必要がある。そのため、アンテナ設計時の難易度が高くなってしまうとともに、導体励振素子１３と導体無給電素子１７間の間隔を０．０８λ程度とる必要があるため（段落番号［００２５］に記載、例えば、信号周波数が５．８ＧHzの場合、約４ｍｍの間隔が必要となる。）、円偏波パッチアンテナの低姿勢化が図れないという問題がある。
【００１０】
さらに、前記特許文献１に開示の技術では２つの誘電基板（第１の誘電体基板１１、第２の誘電体基板１６）を平行に配置する必要があるため、円偏波パッチアンテナの低姿勢化が図れないとともに、部品点数が増えるため高コスト化を招くという問題がある。
【００１１】
本発明は、前記課題に鑑みてなされたものであり、小型で且つ簡単な構成の１点給電方式の円偏波パッチアンテナによって、広帯域化、高利得化を実現できる円偏波パッチアンテナを提供することを目的とする。
【課題を解決するための手段】
【００１２】
前記課題を解決するために、本発明は、摂動素子が付加されたパッチ導体と、誘電体層を介して前記パッチ導体と平行に配置されたグランド導体と、前記グランド導体に形成されたスロットと、前記パッチ導体及び前記スロットをともに励振させる給電回路とを備え、前記パッチ導体と前記スロットとがそれぞれ励振することによって生成される電磁界ベクトルが同方向となるように、前記パッチ導体及び前記スロットを配置したことを特徴とする。
【００１３】
前記スロットの形状としては、例えば、リング状スロットや、矩形や円形のスロット、縦横の長さの異なる十字状スロット、或いは互いに長さと向きが異なる２素子以上の直線状スロットなどが考えられ、これらは、摂動素子が付加された円偏波発生可能なスロットであることが好ましい。
【００１４】
また、前記スロットを前記パッチ導体の外郭と略同形状の外郭にした場合には、設計の容易化を図ることができるとともに、前記パッチ導体と前記スロットとを補対構造とすることができ、より広帯域化を図ることができる。
【００１５】
また、前記パッチ導体と前記スロットを、略同形状の外郭で且つ互いの向きが略直交するように、両者を対向して配置することにより、簡単に前記パッチ導体と前記スロットにより生成される電磁界ベクトルを同方向にすることができる。
【００１６】
また、本発明は、背面輻射を抑圧する反射板導体を前記グランド導体の背面側に設けることにより、ボアサイトの利得を大幅に向上させることも可能である。
【発明の効果】
【００１７】
本発明にかかる円偏波パッチアンテナは、摂動素子が付加されたパッチ導体と、グランド導体に形成されたスロットとが互いに作用し合って励振するため、一点給電方式の円偏波パッチアンテナであっても、小型で且つ高利得、広帯域な特性を得ることが可能になる。
【００１８】
また、前記パッチ導体と前記スロットとを、略同形状の外郭で且つ互いの向きが略直交するように、対向して配置したことにより、簡単な設計工程にて、小型で且つ高利得、広帯域な円偏波パッチアンテナを得ることが可能になる。
【発明を実施するための最良の形態】
【００１９】
（実施の形態１）
以下、本発明の実施の形態１による円偏波パッチアンテナについて図面を参照しながら説明する。
図１は、本発明の実施の形態１による円偏波パッチアンテナの構成を示す図であり、図１（ａ）は斜視図、図１（ｂ）は上面図、図１（ｃ）は側面図をそれぞれ示す。
【００２０】
図１において、本発明の実施の形態１による円偏波パッチアンテナは、１点給電にて円偏波を発生するパッチアンテナであり、アンテナの放射エレメントとなるパッチ導体１と、パッチ導体１と平行に配置されたパッチ導体１よりも大きな寸法のグランド導体２と、パッチ導体１とグランド導体２間に配置された誘電体層３と、グランド導体２に形成されたリング状スロット４と、パッチ導体１とグランド導体２との間に配置され、パッチ導体１及びリング状スロット４に１点給電するＬ型プローブ５とからなる。
【００２１】
パッチ導体１は円偏波を発生するための摂動素子が付加された導体であり、１点給電にて円偏波を発生するための「切欠き」や「出っ張り」が施されている。ここでは図１に示すようにパッチ導体１の形状を長方形形状としている。これにより、パッチ導体１の形状を給電点から見て非対称にすることができ、パッチ導体上に互いに直交する２つの励振モードを発生させて円偏波を発生させることができる。
【００２２】
誘電体層３は、空間や、ＢＴレジン基板、ガラスエポキシ基板等の誘電体基板により形成されており、通常、アンテナの効率を悪化させない誘電体損失の少ない材料が選択される。なお、誘電体層３は空間（空気層）と誘電体基板を組合せて形成してもよい。
【００２３】
リング状スロット４は、パッチ導体１の外郭と略同形状の外郭を有するスロットである。リング状スロット４をパッチ導体１の外郭と略同形状にすることにより、アンテナの設計を容易化することができる。スロット幅については特に限定はなく、少なくとも０．５ｍｍ以上のスロット幅を有していれば十分な効果が得られることを確認している。また、リング状スロット４に換えて完全にくり貫いたスロットを形成した場合であっても同様の効果を得ることができる。
【００２４】
パッチ導体１とリング状スロット４とは互いに対抗するように配置され、パッチ導体１とリング状スロット４がそれぞれ励振することによって生成される電磁界ベクトルが同方向となるように互いの向きを決定している。この時、パッチ導体１とリング状スロット４間を伝達する電磁波の位相変化を考慮してパッチ導体１とリング状スロット４の互いの向きを決定しても良い。しかしながら、パッチ導体１とリング状スロット４間の距離は通常０．８ｍｍや１．６ｍｍ程度であり、アンテナが送受信する周波数信号の波長に比べ十分小さい。そのため、パッチ導体１とリング状スロット４が同形状の場合には互いの向きが略直交するように配置すれば十分である。なお、基板厚を０．６〜３．０ｍｍまで変化させてシミュレーションを行ったが、各厚みにおいてパッチ寸法、スロット寸法を最適化すれば、何れの厚みにおいてもほぼ同様の小型化、広帯域化の効果が得られた。図１に示す例では、長方形形状のパッチ導体１とリング状スロット４とを互いの長辺及び短辺同士が略直交するように対向させて配置している。
【００２５】
Ｌ型プローブ５は、１点給電によってパッチ導体１及びリング状スロット４をともに励振させる給電回路であり、準ＴＥＭモードの電磁界を形成する。なお、図１には示していないがインピーダンス整合を取るために、Ｌ型プローブ５にスタブ等のインピーダンス整合回路を付加してもよい。
【００２６】
次に、本発明にかかる円偏波パッチアンテナの動作について説明する。
Ｌ型プローブ５に給電された電気信号は、準ＴＥＭモードの電磁界を形成してＬ型プローブ５を伝搬し、その上部に位置するパッチ導体１と電気的に結合することでパッチ導体１を励振する。励振されたパッチ導体１は摂動素子が付加されているため、パッチ導体１上には縮退が解かれた２つの直交モードが励起され、電磁波は円偏波となって放射される。
【００２７】
一方で、Ｌ型プローブ５を伝搬する電磁界は、プローブの下部に位置するリング状スロット４とも電気的（磁気的）に結合しリング状スロット４を励振する。励振されたリング状スロット４は、パッチ導体１と同様に、電磁波を放射する。
【００２８】
このようにして、パッチ導体１及びリング状スロット４から放射された電磁波は、さらに互いの励振動作により作用し合って、パッチ導体１とリング状スロット４との相互作用により、円偏波パッチアンテナの広帯域化を実現している。この主な要因としては、例えば、パッチ導体１及びリング状スロット４から放射された電磁波が電気的に結合することによる複共振作用や、パッチ導体１とリング状スロットの補対作用が考えられる。
【００２９】
図２は、５．８ＧＨｚ帯の１点給電右旋円偏波方形パッチアンテナの構成の一例を示す図であり、図３は、図２に示した１点給電右旋円偏波方形パッチアンテナのパッチ導体及びリング状スロットの寸法を示す図である。
【００３０】
図２、図３に示す１点給電右旋円偏波方形パッチアンテナは、パッチ導体１に８ｍｍ×８．８ｍｍの長方形形状をした摂動型円偏波素子を使用し、誘電体層３にはグランド導体２と同形状で高さが１．６ｍｍの比誘電率が４．４のＦＲ−４（ガラスエポキシ基板）を使用している。
【００３１】
給電系はＬ型プローブを用いた１点給電方式を採用し、インピーダンス整合を取るためにオープンスタブ７及びショートスタブ８を設けて最適化を行っている。
【００３２】
また、リング状スロット４は、グランド導体２のパッチ導体１と対向する位置に、パッチ導体１の外形と略同形状の外郭で且つパッチ導体１と略直交するように形成した。リング状スロット４のスロット幅は、略１．２ｍｍとしている。
【００３３】
図４は、図２に示した１点給電右旋円偏波方形パッチアンテナのパッチ導体寸法、誘電体層、給電系を変化させず、グランド導体２にリング状スロットを形成した場合と、形成しない場合との軸比周波数特性の変化を示している。
【００３４】
図４において、左側がリング状スロットありの検証結果であり、右側がリング状スロット無しでの検証結果である。なお、図４に示した検証結果は、放射に寄与した電界成分のみを抽出して円偏波特性（軸比）を示した図であり、給電部の入力インピーダンス特性を排除した状態で比較を行っている。
【００３５】
図４に示すように、グランド導体２に形成したリング状スロット４の効果により、パッチ導体寸法が同じでも中心周波数が低域へシフトしている。すなわち、これは所望の中心周波数を得るために、パッチ導体を小型化できることを示している。
【００３６】
また、軸比３ｄＢ帯域幅を比較すると、グランド導体２にリング状スロット４を形成した場合の比帯域が５．６％であるのに対し、グランド導体２にリング状スロット４を形成しなかった場合の比帯域が２．２％であり、グランド導体２にリング状スロット４を形成した場合の方が、比帯域が２．５倍以上広くなっていることがわかる。
【００３７】
次に、本発明にかかる円偏波パッチアンテナの入力インピーダンス（ＶＳＷＲ）特性について図５、図６を用いて説明する。
図５は、図２に示した１点給電右旋円偏波方形パッチアンテナ（グランド導体にリング状スロットを形成）の入力インピーダンス（ＶＳＷＲ）特性を示す図である。
【００３８】
整合回路として、オープンスタブ７及びショートスタブ８を用いて最適化を行った場合、ＶＳＷＲ<２．０の帯域幅は、比帯域で２２．５％と非常に広帯域であるとの結果が得られた。
【００３９】
また、図６は、グランド導体２にリング状スロット４を形成した場合と、形成しない場合との入力インピーダンス（ＶＳＷＲ）特性の比較結果を示したものである。
【００４０】
図６に示すように、グランド導体２にリング状スロット４を形成した場合と、形成しない場合とを比較すると、周波数特性はリング状スロット４ありの方がリング状スロット４なしに比べ低域側にあらわれ、アンテナの小型化の効果が得られていることがわかる。
【００４１】
また、全体的な特性（Ｖ字状の特性）をみると、例えば、ＶＳＷＲ≦２の比帯域では、リング状スロットありの場合が２２．５％であるのに対し、リング状スロットなしの場合が５．０％であり、リング状スロット４ありの方がリング状スロット４なしに比べＶ字の開きが大きく、広帯域化の効果が得られていることもわかる。
【００４２】
次に、本発明にかかる円偏波パッチアンテナの利得周波数特性について図７、図８を用いて説明する。
図７は、図２に示した１点給電右旋円偏波方形パッチアンテナ（グランド導体にリング状スロットを形成）の利得周波数特性（右旋円偏波成分）を示す図である。
【００４３】
整合回路として、オープンスタブ７及びショートスタブ８を用いて最適化を行った場合、利得ピークから１ｄＢダウンした帯域幅は、比帯域で１７．５％と非常に広帯域であるとの結果が得られた。
【００４４】
また、図８は、グランド導体２にリング状スロット４を形成した場合と、形成しない場合との利得周波数特性（右旋円偏波成分）の比較結果を示したものである。
図８に示すように、グランド導体２にリング状スロット４を形成した場合と、形成しない場合とを比較すると、利得周波数特性はリング状スロット４ありの方がリング状スロット４なしに比べて低域側であるため、小型化の効果が得られていることがわかる。
【００４５】
また、全体的な特性（山なりの特性）をみると、例えば、ピーク利得から１ｄＢ低下した比帯域で、リング状スロットありの場合が１７．５％であるのに対し、リング状スロットなしの場合が９．７％であり、リング状スロット４ありの方がリング状スロット４なしに比べ山なりの特性の裾野の広がりが大きく、広帯域化の効果が得られていることもわかる。
【００４６】
このように、本発明のパッチアンテナによれば、グランド導体２にリング状スロット４を形成したことにより、パッチ導体寸法の小型化を図ることができるとともに、１点給電パッチアンテナの円偏波特性を広帯域にすることができる。
【００４７】
また、本発明のパッチアンテナによれば、１点給電で広帯域な円偏波特性が得られるため、２点給電構成に比べ給電系をシンプルにすることができる。
また、最適なインピーダンス整合回路を付加すれば、整合帯域も非常に広帯域となり、利得の周波数特性においても広帯域となる。
【００４８】
なお、本実施形態では、パッチ導体１と略同形状の外郭を有するリング状スロット４をグランド導体２に形成するものについて説明したが、パッチ導体１と同形状でない、楕円形のスロットや、縦横の長さの異なる十字状スロット、或いは互いに長さと向きが異なる２素子以上の直線状スロットなど、円偏波を発生可能な摂動素子が付加されたスロットをグランド導体２に形成した場合であっても、同程度の効果が得られることを確認済みである。なお、この時、パッチ導体１とリング状スロット４の配置は、各々がそれぞれ励振することによって生成される電磁界ベクトルが同方向となるように対向させて配置する。
【００４９】
また、グランド導体に形成するスロットは、正方形リングや円形リングのような直線偏波素子でもよい。もっとも、この場合は、円偏波特性が劣化してしまうため、円偏波の広帯域化という面では円偏波素子でスロットを形成した場合に比べ効果が少ないが、アンテナの小型化という面では、円偏波素子でスロットを形成した場合と同程度の効果を得ることができる。
【００５０】
（実施の形態２）
前述した実施の形態１では、L型プローブ給電方式を用いてパッチ導体１及びリング状スロット４をともに励振させるものについて説明したが、図９に示すように、パッチ導体１と同一面のパッチ端から給電する共平面給電方式をとってもよい。L型プローブ給電方式を用いて円偏波パッチアンテナを構成する場合には、図１０に示すように、Ｌ型プローブ４を誘電体層３により上下方向から挟んで３層構造にする必要があった。一方で、図９に示すように、給電方式を共平面給電方式にすることで円偏波パッチアンテナを両面基板によって製造することができ、更なる構成の簡易化、低コスト化を図ることが可能になる。
【００５１】
以下に、共平面給電方式により給電を行う場合の本発明にかかる円偏波パッチアンテナの動作について説明する。
【００５２】
共平面給電ライン９に給電された電気信号は、準ＴＥＭモードの電磁界を形成して共平面給電ライン９を伝搬し、パッチ導体１を直接励振する。励振されたパッチ導体１は摂動素子が付加されているため、パッチ導体１上には縮退が解かれた２つの直交モードが励起され、電磁波は円偏波となって放射される。
【００５３】
また、パッチ導体１から放射された電磁波によって形成された電磁界は、パッチ導体１の下部に位置するリング状スロット４とも電気的（磁気的）に結合しリング状スロット４を励振する。励振されたリング状スロット４は、パッチ導体１と同様に、電磁波を放射する。
【００５４】
これにより、前述の実施の形態１と同様に、パッチ導体１とリング状スロットから放射された電磁波が互いの励振動作に作用し合い、パッチ導体１とリング状スロット４との相互作用により、円偏波パッチアンテナの広帯域化を実現している。
【００５５】
なお、ここでは、共平面給電方式について説明したが、グランド導体側からパッチ導体１に対して給電する方式など、通常の１点給電方式のパッチアンテナで使用される様々な給電方式を採用した場合であっても同様の効果を得ることができる。
【００５６】
また、ここでは、１点給電方式の円偏波パッチアンテナについて説明したが、パッチ導体１及びグランド導体２に形成されたスロットをともに励振させる給電方式であれば、その給電方式には特に限定されず、例えば、２点給電方式の円偏波パッチアンテナであっても同様の効果を得ることができる。
【００５７】
（実施の形態３）
本発明の実施の形態１及び２で説明したように、グランド導体２にリング状スロット４を形成したことにより、上記に述べた効果が得られたが、リング状スロット４から放射する電磁波は上下方向へ伝搬していく。そのため、アンテナ背面側へは比較的強い左旋円偏波成分の電磁波が放射される。この放射は、用途によっては不要輻射として有害な作用を及ぼす可能性があり、さらには背面側への不要輻射はボアサイトの利得低下の要因となってしまう。そこで、本発明の実施の形態３では、この背面側への不要輻射を抑制できる円偏波パッチアンテナについて説明する。
【００５８】
図１１は、本発明の実施の形態３による円偏波パッチアンテナの構成を示す図である。
図１１に示すように、グランド導体２の背面側に導体で形成された反射板１０を付加することで、背面輻射を抑圧でき、さらにボアサイトの利得を大幅に向上させることができる。
【００５９】
また、反射板１０は、本発明にかかる円偏波パッチアンテナを載荷するアンテナユニットの基板面一面を金属皮膜すればよく、簡易な構成により実現可能である。
【図面の簡単な説明】
【００６０】
【図１】本発明の実施の形態１による円偏波パッチアンテナの構成を示す図
【図２】本発明の実施の形態１による１点給電右旋円偏波方形パッチアンテナの構成の一例を示す図
【図３】図２に示した１点給電右旋円偏波方形パッチアンテナのパッチ導体及びリング状スロットの寸法を示す図
【図４】リング状スロットの有無による軸比周波数特性の変化を示す図
【図５】図２に示した１点給電右旋円偏波方形パッチアンテナ（グランド導体にリング状スロットを形成）の入力インピーダンス（ＶＳＷＲ）特性を示す図
【図６】リング状スロットの有無による入力インピーダンス（ＶＳＷＲ）特性の変化を示す図
【図７】図２に示した１点給電右旋円偏波方形パッチアンテナ（グランド導体にリング状スロットを形成）の利得周波数特性（右旋円偏波成分）を示す図
【図８】リング状スロットの有無による利得周波数特性（右旋円偏波成分）の変化を示す図
【図９】本発明の実施の形態２による円偏波パッチアンテナの構成を示す図
【図１０】本発明の実施の形態１による円偏波パッチアンテナの誘電体層の構成の一例を示す図
【図１１】本発明の実施の形態３による円偏波パッチアンテナの構成を示す図
【符号の説明】
【００６１】
１  パッチ導体
２  グランド導体
３  誘電体層
４  リング状スロット
５  Ｌ型プローブ
６  同軸ケーブル
７  オープンスタブ
８  ショートスタブ
９  共平面給電ライン
１０  反射板
【図１】
2008054080.tif 000003
【図２】
2008054080.tif 000004
【図３】
2008054080.tif 000005
【図４】
2008054080.tif 000006
【図５】
2008054080.tif 000007
【図６】
2008054080.tif 000008
【図７】
2008054080.tif 000009
【図８】
2008054080.tif 000010
【図９】
2008054080.tif 000011
【図１０】
2008054080.tif 000012
【図１１】
2008054080.tif 000013